(57)【特許請求の範囲】
【請求項１】
チャネル品質を推定するための参照信号として、互いに送信間隔の異なる第１のＳＲＳ（Sounding Reference Signal）及び第２のＳＲＳを生成する参照信号生成部と、
送信間隔が長いほど、ＳＲＳの送信電力を制御するためのオフセット値が大きくなるように、前記第１のＳＲＳを送信する際の送信電力を制御するための第１のオフセット値と、前記第２のＳＲＳを送信する際の送信電力を制御するための第２のオフセット値とを、互いに異なる値に設定するオフセット設定部と、
前記第１のオフセット値にもとづいて制御された送信電力で前記第１のＳＲＳを送信し、前記第２のオフセット値にもとづいて制御された送信電力で前記第２のＳＲＳを送信する送信部と、
を備える端末装置。
【請求項２】
前記第１のＳＲＳ及び前記第２のＳＲＳは送信周期が異なり、
前記オフセット設定部は、送信周期が長いほど前記オフセット値が大きくなるように、前記第１のオフセット値と前記第２のオフセット値とを、前記送信周期に応じて異なる値に設定する、
請求項１記載の端末装置。
【請求項３】
前記オフセット設定部は、基地局から指定された送信電力オフセット値に補正値を加えることによって、前記第１のオフセット値及び前記第２のオフセット値の各々を設定する
請求項１又は２に記載の端末装置。
【請求項４】
前記第１のＳＲＳは、周期的に送信されるPeriodic SRSであり、前記第２のＳＲＳは、非周期的に送信されるAperiodic SRSであり、
前記オフセット設定部は、前記第１のＳＲＳに対する第１のオフセット値が前記第２のＳＲＳに対する第２のオフセット値より小さい値となるように、前記第１のオフセット値及び前記第２のオフセット値を設定する
請求項１記載の端末装置。
【請求項５】
チャネル品質を推定するための参照信号として、互いに送信間隔の異なる第１のＳＲＳ（Sounding Reference Signal）及び第２のＳＲＳを生成し、
送信間隔が長いほど、ＳＲＳの送信電力を制御するためのオフセット値が大きくなるように、前記第１のＳＲＳを送信する際の送信電力を制御するための第１のオフセット値と、前記第２のＳＲＳを送信する際の送信電力を制御するための第２のオフセット値とを、互いに異なる値に設定し、
前記第１のオフセット値にもとづいて制御された送信電力で前記第１のＳＲＳを送信し、前記第２のオフセット値にもとづいて制御された送信電力で前記第２のＳＲＳを送信する、
参照信号の電力制御方法。
【請求項６】
前記第１のＳＲＳ及び前記第２のＳＲＳは送信周期が異なり、
送信周期が長いほど前記オフセット値が大きくなるように、前記第１のオフセット値と前記第２のオフセット値とを、前記送信周期に応じて異なる値に設定する、
請求項５記載の電力制御方法。
【請求項７】
前記第１オフセット値の設定及び前記第２のオフセット値の設定は、基地局から指定された送信電力オフセット値に補正値を加えることによってそれぞれ行われる、
請求項５又は６に記載の電力制御方法。
【請求項８】
前記第１のＳＲＳは、周期的に送信されるPeriodic SRSであり、前記第２のＳＲＳは、非周期的に送信されるAperiodic SRSであり、
前記第１のＳＲＳに対する第１のオフセット値が前記第２のＳＲＳに対する第２のオフセット値より小さい値となるように、前記第１のオフセット値及び前記第２のオフセット値を設定する、
請求項５記載の電力制御方法。
【請求項９】
チャネル品質を推定するための参照信号として、互いに送信間隔の異なる第１のＳＲＳ（Sounding Reference Signal）及び第２のＳＲＳを生成する生成処理と、
送信間隔が長いほど、ＳＲＳの送信電力を制御するためのオフセット値が大きくなるように、前記第１のＳＲＳを送信する際の送信電力を制御するための第１のオフセット値と、前記第２のＳＲＳを送信する際の送信電力を制御するための第２のオフセット値とを、互いに異なる値に設定する設定処理と、
前記第１のオフセット値にもとづいて制御された送信電力で前記第１のＳＲＳを送信し、前記第２のオフセット値にもとづいて制御された送信電力で前記第２のＳＲＳを送信する送信処理と、
を制御する集積回路。
【請求項１０】
前記第１のＳＲＳは、周期的に送信されるPeriodic SRSであり、前記第２のＳＲＳは、非周期的に送信されるAperiodic SRSであり、
前記設定処理は、前記第１のＳＲＳに対する第１のオフセット値が前記第２のＳＲＳに対する第２のオフセット値より小さい値となるように、前記第１のオフセット値及び前記第２のオフセット値を設定する、
請求項９記載の集積回路。
【発明の詳細な説明】
【技術分野】
【０００１】
本発明は、端末装置、参照信号の電力制御方法及び集積回路に関する。
【背景技術】
【０００２】
３ＧＰＰ  ＬＴＥ（3rd Generation Partner Project Long Term Evolution。以下、ＬＴＥと称する）の上り回線（uplink）では、ＳＲＳ（Sounding Reference Signal）を用いて、端末（ＵＥ：User Equipment）と基地局（ＢＳ（Base Station）又はｅＮＢ）との間のチャネル品質を推定することが提案されている。ＳＲＳは主に、上り回線のデータチャネル（ＰＵＳＣＨ：Physical Uplink Shared CHannel）のスケジューリング（例えば、周波数リソース割当及びＭＣＳ（Modulation and Coding Scheme）選択）を行うために用いられる。ここで、Soundingとは、端末と基地局との間のチャネル品質を推定することを意味する。
【０００３】
また、ＬＴＥでは、ＰＵＳＣＨ及びＳＲＳに対して同じ送信電力制御（ＴＰＣ：Transmission Power Control）が行われる。具体的には、ＳＲＳの送信電力は、ＰＵＳＣＨの送信電力にオフセットを加えることにより求められる。例えば、ＬＴＥでは、サブフレーム（sub-frame）＃ｉにおけるＳＲＳの送信電力PSRS(i)は次式（１）に従って求められる。
【数１】
0005954720.tif 000002
【０００４】
式（１）において、PCMAX［ｄＢｍ］は端末が送信可能なＳＲＳの最大送信電力を示し、PSRS_OFFSET［ｄＢｍ］は端末が送信するＰＵＳＣＨの送信電力に対するオフセット値（基地局から設定されるパラメータ）を示し、MSRSはＳＲＳに割り当てられる周波数リソースブロック数を示し、PO_PUSCH［ｄＢｍ］はＰＵＳＣＨの送信電力の初期値（基地局から設定されるパラメータ）を示し、ＰＬは端末が測定したパスロスレベル［ｄＢ］を示し、αはパスロス（ＰＬ）の補償割合を表す重み係数（基地局から設定されるパラメータ）を示し、f(i)はクローズドループ制御における過去のＴＰＣコマンド（制御値。例えば、＋３ｄＢ、＋１ｄＢ、０ｄＢ、−１ｄＢ）を含めたサブフレーム＃ｉにおける累計値を示す。
【０００５】
また、ＬＴＥの発展形であるＬＴＥ−Ａｄｖａｎｃｅｄの標準化が開始された。ＬＴＥ−Ａｄｖａｎｃｅｄでは、上り回線において、端末が有する複数のアンテナを用いた送信（ＳＵ−ＭＩＭＯ：Single User-Multiple Input Multiple Output）のサポートが検討されている。ＳＵ−ＭＩＭＯは、１つの端末が複数のアンテナからデータ信号を同一時刻かつ同一周波数で送信し、空間上で仮想的な通信路（ストリーム）を用いてデータ信号を空間多重する技術である。
【０００６】
ＬＴＥ−Ａｄｖａｎｃｅｄにおいて、ＳＵ−ＭＩＭＯを行うために、基地局は、端末の各アンテナと基地局のアンテナとの間の伝搬路状況を把握する必要がある。このため、端末は、ＳＲＳを各アンテナから基地局へ送信する必要がある。
【０００７】
また、ＬＴＥ−Ａｄｖａｎｃｅｄの上り回線では、ＰＵＳＣＨ及びＳＲＳの送信電力制御として、端末が有する複数のアンテナ間で共通の送信電力制御を行うことが検討されている（例えば、非特許文献１参照）。具体的には、端末では、式（１）に示すＳＲＳの送信電力式の各パラメータとして、複数のアンテナに依らず同一の値を適用する。これにより、複数のアンテナを有する端末における送信電力制御に要するシグナリング量の増加を防止することができる。
【先行技術文献】
【非特許文献】
【０００８】
【非特許文献１】R1-101949, Huawei, “Uplink Multi-Antenna Power Control”
【発明の概要】
【発明が解決しようとする課題】
【０００９】
ここで、端末から基地局へ送信されたＳＲＳの受信ＳＩＮＲ（Signal to Interference and Noise Ratio。基地局でのＳＲＳの受信レベル）が或るレベルまで低くなると、干渉及び雑音の影響により、基地局と端末との間でＳＲＳを用いたチャネル品質（例えば、ＳＩＮＲ測定値）の測定精度（ＳＩＮＲ測定精度）が大きく劣化してしまう。
【００１０】
例えば、図１に、基地局でのＳＲＳの受信ＳＩＮＲ（横軸：入力ＳＩＮＲ［ｄＢ］）に対する、基地局でのＳＲＳのＳＩＮＲ測定値（縦軸）の特性を表すシミュレーション結果を示す。図１に示すように、ＳＲＳの入力ＳＩＮＲが０ｄＢより大きい場合には、入力ＳＩＮＲとＳＩＮＲ測定値とがほぼ同じ値となり（図１に示す破線上の特性となり）、基地局におけるＳＩＮＲ測定精度が良好であることが分かる。これに対して、図１に示すように、ＳＲＳの入力ＳＩＮＲが０ｄＢ以下の場合には、入力ＳＩＮＲとＳＩＮＲ測定値との誤差（又は分散）が大きくなり、ＳＩＮＲ測定精度が劣悪であることが分かる。
【００１１】
ＳＲＳのＳＩＮＲ測定精度が劣化すると、基地局が、ＰＵＳＣＨのスケジューリング（周波数リソース割当及びＭＣＳ選択等）を精度良く行うことができず、システム性能は劣化してしまう。
【００１２】
また、端末での送信電力制御の際、端末に設定されたＳＲＳのターゲット送信電力に対して、端末が実際に送信するＳＲＳの送信電力がばらつくことが考えられる。つまり、端末では、端末に設定されたＳＲＳのターゲット送信電力と、端末が実際に送信するＳＲＳの送信電力との誤差（以下、ＴＰＣ誤差という）が発生する。よって、このＴＰＣ誤差により、端末が実際に送信したＳＲＳの送信電力がターゲット送信電力よりも低くなってしまうと、上述したように、基地局でのＳＲＳの受信ＳＩＮＲが或るレベル（図１では０ｄＢ以下）まで低くなり、ＳＩＮＲ測定精度が劣化してしまう可能性がある。
【００１３】
ＴＰＣ誤差によるＳＲＳのＳＩＮＲ測定精度の劣化を防止するために、ＴＰＣ誤差のばらつきを考慮してＳＲＳの送信電力を制御する方法が考えられる。つまり、端末は、想定される最大ＴＰＣ誤差の分だけターゲット送信電力よりも大きくなるようにＳＲＳの送信電力を設定する。例えば、端末は、想定される最大ＴＰＣ誤差の分だけ、式（１）に示す、ＰＵＳＣＨの送信電力に対するオフセット値PSRS_OFFSETの値を大きくする。これにより、端末のＳＲＳの送信電力制御においてＴＰＣ誤差の影響を受けた場合でも、基地局におけるＳＲＳの受信ＳＩＮＲが或るレベルまで低くならず（図１では０ｄＢ以下とならず）、ＳＩＮＲ測定精度の劣化を防止することができる。
【００１４】
しかし、このＳＲＳ送信電力制御方法では、想定される最大ＴＰＣ誤差が大きいほど、端末では、実際に生じるＴＰＣ誤差に依らずＳＲＳの送信電力を常に大きくする必要があり、端末の消費電力が増加してしまう。また、ＳＲＳの送信電力が大きくなると、セル間干渉が増加してしまうという課題も発生する。また、上述したように、端末が複数のアンテナを有する場合に、複数のアンテナに対して共通の送信電力制御を行うと、想定される最大ＴＰＣ誤差が大きいほど、全てのアンテナから送信されるＳＲＳの送信電力が大きくなるので、ＳＲＳの送信電力の増加及びセル間干渉の増加の課題がより顕著になる。
【００１５】
本発明の目的は、基地局におけるＴＰＣ誤差によるＳＩＮＲ測定精度の劣化を防止しつつ、端末の消費電力の増加を抑えることができる端末装置、参照信号の電力制御方法及び集積回路を提供することである。
【課題を解決するための手段】
【００１６】
本発明の第１の態様に係る端末装置は、チャネル品質を推定するための参照信号として、互いに送信間隔の異なる第１のＳＲＳ（Sounding Reference Signal）及び第２のＳＲＳを生成する参照信号生成部と、前記第１のＳＲＳを送信する際の送信電力を制御するための第１のオフセット値と、前記第２のＳＲＳを送信する際の送信電力を制御するための第２のオフセット値とを、互いに異なる値に設定するオフセット設定部と、前記第１のオフセット値にもとづいて制御された送信電力で前記第１のＳＲＳを送信し、前記第２のオフセット値にもとづいて制御された送信電力で前記第２のＳＲＳを送信する送信部と、を具備する構成を採る。
【００１７】
本発明の第２の態様に係る参照信号の電力制御方法は、チャネル品質を推定するための参照信号として、互いに送信間隔の異なる第１のＳＲＳ（Sounding Reference Signal）及び第２のＳＲＳを生成し、前記第１のＳＲＳを送信する際の送信電力を制御するための第１のオフセット値と、前記第２のＳＲＳを送信する際の送信電力を制御するための第２のオフセット値とを、互いに異なる値に設定し、前記第１のオフセット値にもとづいて制御された送信電力で前記第１のＳＲＳを送信し、前記第２のオフセット値にもとづいて制御された送信電力で前記第２のＳＲＳを送信する。本開示の第３の態様に係る集積回路は、チャネル品質を推定するための参照信号として、互いに送信間隔の異なる第１のＳＲＳ（Sounding Reference Signal）及び第２のＳＲＳを生成する生成処理と、前記第１のＳＲＳを送信する際の送信電力を制御するための第１のオフセット値と、前記第２のＳＲＳを送信する際の送信電力を制御するための第２のオフセット値とを、互いに異なる値に設定する設定処理と、前記第１のオフセット値にもとづいて制御された送信電力で前記第１のＳＲＳを送信し、前記第２のオフセット値にもとづいて制御された送信電力で前記第２のＳＲＳを送信する送信処理と、を制御する。
【発明の効果】
【００１８】
本発明によれば、基地局におけるＴＰＣ誤差によるＳＩＮＲ測定精度の劣化を防止しつつ、端末の消費電力の増加を抑えることができる。
【図面の簡単な説明】
【００１９】
【図１】基地局におけるＳＲＳの入力ＳＩＮＲに対するＳＲＳのＳＩＮＲ測定値の特性を示す図
【図２】本発明の実施の形態１に係る端末の構成を示すブロック図
【図３】本発明の実施の形態１に係る基地局の構成を示すブロック図
【図４】本発明の実施の形態１に係る経過時間Ｔとオフセット補正値との対応を示す図
【図５】本発明の実施の形態１に係るＳＲＳ周期とオフセット補正値との対応を示す図
【図６】本発明の実施の形態２に係る端末の構成を示すブロック図
【図７】本発明の実施の形態２に係る電力変化量ΔＰとオフセット補との対応を示す図
【図８】本発明の実施の形態３に係る端末の構成を示すブロック図
【図９】本発明の実施の形態３に係るＳＲＳ種別とオフセット補正値との対応を示す図
【図１０】本発明の実施の形態３に係るＳＲＳ種別とオフセット補正値との対応を示す図
【図１１】本発明の実施の形態３に係るＳＲＳ種別とオフセット補正値との対応を示す図
【図１２】本発明のその他のオフセット設定部の内部構成を示すブロック図
【図１３】本発明のその他の経過時間Ｔと電力変化量ΔＰとオフセット補正値との対応を示す図
【図１４Ａ】ＬＴＥにおけるＴＰＣ誤差の許容範囲を示す図（Ｔ＞２０ｍｓの場合）
【図１４Ｂ】ＬＴＥにおけるＴＰＣ誤差の許容範囲を示す図（Ｔ≦２０ｍｓの場合）
【図１５】本発明のその他の経過時間Ｔと電力変化量ΔＰとオフセット補正値との対応を示す図
【図１６】本発明のその他の端末の構成を示すブロック図（複数のアンテナを具備する場合）
【図１７】本発明に係るその他の経過時間Ｔとオフセット補正値との対応を示す図
【図１８】本発明に係るその他の電力変化量ΔＰとオフセット補との対応を示す図
【発明を実施するための形態】
【００２０】
以下、本発明の実施の形態について、添付図面を参照して詳細に説明する。なお、本発明の各実施の形態に係る端末（無線通信装置）は、式（１）と同様にして、ＰＵＳＣＨの送信電力にオフセット値を加えて、ＳＲＳの送信電力を制御する。
【００２１】
（実施の形態１）
本実施の形態に係る端末１００の構成を図２に示す。図２に示す端末１００において、ＲＳ生成部１０１は、ＲＳ用系列（ＳＲＳ。例えば、ＺＣ（Zadoff-Chu）系列）を生成し、生成したＲＳ用系列を位相回転部１０２に出力する。
【００２２】
位相回転部１０２は、基地局から指示された、時間領域の巡回シフト量（ＣＳ（Cyclic Shift）量。図示せず）に相当する位相回転を、ＲＳ生成部１０１から入力されるＲＳ用系列に施し、位相回転後のＲＳ用系列をマッピング部１０３に出力する。ここで、ＲＳ用系列の各サンプルはサブキャリアに割り当てられるので、ＲＳ用系列は周波数領域の信号である。よって、位相回転部１０２における周波数領域での位相回転処理は、時間領域での巡回シフト処理と等価である。
【００２３】
マッピング部１０３は、基地局から指示された周波数リソース割当情報（図示せず）に基づいて、位相回転部１０２から入力される位相回転後のＲＳ用系列を、周波数リソースである複数のサブキャリアにマッピングしてＩＦＦＴ（Inverse Fast Fourier Transform）部１０４に出力する。
【００２４】
ＩＦＦＴ部１０４は、ＲＳ用系列がマッピングされた複数のサブキャリアに対してＩＦＦＴ処理を行い、ＩＦＦＴ処理後の信号をＣＰ（Cyclic Prefix）付加部１０５に出力する。
【００２５】
ＣＰ付加部１０５は、ＩＦＦＴ部１０４から入力されるＩＦＦＴ後の信号の後尾部分と同じ信号をＣＰとして先頭に付加し、ＣＰ付加後の信号（ＳＲＳ）を送信部１０９（Ｄ／Ａ部１１０）に出力する。
【００２６】
オフセット設定部１０６は、経過時間算出部１０７及びオフセット値決定部１０８で構成され、ＲＳ用系列（ＳＲＳ）の送信電力を設定する際に用いる、ＰＵＳＣＨの送信電力に対するオフセット値（以下、送信電力オフセット値と称する。つまり、式（１）に示すPSRS_OFFSETに対応する値）を設定する。
【００２７】
具体的には、経過時間算出部１０７は、端末１００が前回送信した上り回線チャネル（例えば、ＰＵＳＣＨ、ＰＵＣＣＨ及びＳＲＳを含む上り回線信号）の送信時刻から今回送信するＳＲＳの送信時刻までの経過時間を算出する。そして、経過時間算出部１０７は、算出した経過時間をオフセット値決定部１０８に出力する。
【００２８】
オフセット値決定部１０８は、まず、経過時間算出部１０７から入力される経過時間に応じて、基地局から指示されるオフセット値（つまり、式（１）のPSRS_OFFSET）の補正値を設定する。そして、オフセット値決定部１０８は、基地局から指示されるオフセット値を、設定した補正値で補正することにより、送信電力オフセット値を決定する。そして、オフセット値決定部１０８は、送信電力オフセット値を送信部１０９（送信電力制御部１１１）に出力する。なお、オフセット設定部１０６における送信電力オフセット値の設定処理の詳細については後述する。
【００２９】
送信部１０９は、Ｄ／Ａ部１１０、送信電力制御部１１１及びアップコンバート部１１２で構成され、ＣＰ付加部１０５から入力される信号（ＳＲＳ）に対して、ＤＡ変換、増幅及びアップコンバート等の送信処理を行う。
【００３０】
具体的には、送信部１０９のＤ／Ａ部１１０は、ＣＰ付加部１０５から入力される信号（ＳＲＳ）をＤ／Ａ変換し、Ｄ／Ａ変換後の信号（ＳＲＳ）を送信電力制御部１１１に出力する。
【００３１】
送信電力制御部１１１は、オフセット値決定部１０８から入力される送信電力オフセット値を用いて、Ｄ／Ａ部１１０から入力されるＣＰ付加後の信号（ＳＲＳ）の送信電力を制御し、送信電力制御後の信号をアップコンバート部１１２に出力する。すなわち、送信電力制御部１１１は、オフセット値決定部１０８で設定された、オフセット値の補正値を用いて、ＳＲＳの送信電力を制御する。
【００３２】
アップコンバート部１１２は、送信電力制御部１１１から入力される送信電力制御後の信号に対し、搬送波周波数へ周波数変換を行う。そして、アップコンバート部１１２は、周波数変換された送信処理後の信号をアンテナ１１３から送信する。これにより、送信電力制御部１１１で制御された送信電力でＳＲＳが送信される。
【００３３】
例えば、本実施の形態では、サブフレーム（sub-frame）＃ｉにおけるＳＲＳの送信電力PSRS(i)は次式（２）に従って求められる。
【数２】
0005954720.tif 000003
【００３４】
式（２）において、PCMAX［ｄＢｍ］は端末１００が送信可能なＳＲＳの最大送信電力を示し、PSRS_OFFSET［ｄＢｍ］は端末１００が送信するＰＵＳＣＨの送信電力に対するオフセット値（基地局から設定されるパラメータ）を示し、MSRSはＳＲＳに割り当てられる周波数リソースブロック数を示し、PO_PUSCH［ｄＢｍ］はＰＵＳＣＨの送信電力の初期値（基地局から設定されるパラメータ）を示し、ＰＬは端末１００が測定したパスロスレベル［ｄＢ］を示し、αはパスロス（ＰＬ）の補償割合を表す重み係数（基地局から設定されるパラメータ）を示し、f(i)はクローズドループ制御されるＴＰＣコマンド（制御値。例えば、＋３ｄＢ、＋１ｄＢ、０ｄＢ、−１ｄＢ）の過去の値を含めたサブフレーム＃ｉにおける累計値を示す。また、式（２）において、Δoffsetは経過時間算出部１０７で算出された経過時間に対応付けられた、オフセット値PSRS_OFFSETの補正値を示す。
【００３５】
つまり、オフセット値決定部１０８は、式（２）に示されるように、経過時間算出部１０７で算出された経過時間に基づいて、基地局から指示されるオフセット値PSRS_OFFSETを補正する補正値Δoffsetを設定する。そして、オフセット値決定部１０８は、式（２）に示されるように、オフセット値PSRS_OFFSETに補正値Δoffsetを加えることにより、送信電力オフセット値（PSRS_OFFSET＋Δoffset）を決定する。そして、送信電力制御部１１１は、オフセット値決定部１０８から入力される送信電力オフセット値（PSRS_OFFSET＋Δoffset）を用いて、式（２）に従って、ＳＲＳの送信電力PSRS(i)を制御する。
【００３６】
次に、本実施の形態に係る基地局２００の構成を図３に示す。図３に示す基地局２００において、受信部２０２は、端末１００（図２）から送信された信号をアンテナ２０１を介して受信し、受信された信号に対しダウンコンバート、Ａ／Ｄ変換等の受信処理を行う。端末１００から送信される信号にはＳＲＳが含まれる。そして、受信部２０２は、受信処理後の信号をＣＰ除去部２０３に出力する。
【００３７】
ＣＰ除去部２０３は、受信部２０２から入力される受信処理後の信号の先頭に付加されているＣＰを除去し、ＣＰ除去後の信号をＦＦＴ（Fast Fourier Transform）部２０４に出力する。
【００３８】
ＦＦＴ部２０４は、ＣＰ除去部２０３から入力されるＣＰ除去後の信号に対してＦＦＴ処理を行って周波数領域の信号に変換し、周波数領域の信号をデマッピング部２０５に出力する。
【００３９】
デマッピング部２０５は、基地局２００が端末１００（通信対象である所望端末）に指示した、所望端末向けの周波数リソース割当情報に基づいて、ＦＦＴ部２０４から入力される周波数領域の信号から、所望端末の送信帯域（周波数リソース）に対応する信号（つまり、ＳＲＳ）を抽出する。そして、デマッピング部２０５は、抽出した信号（ＳＲＳ）をＳＲＳ用ＳＩＮＲ測定部２０７に出力する。
【００４０】
巡回シフト量設定部２０６は、基地局２００が端末１００（所望端末）に指示した、所望端末の巡回シフト量を、ＳＲＳ用ＳＩＮＲ測定部２０７に出力する。
【００４１】
ＳＲＳ用ＳＩＮＲ測定部２０７は、デマッピング部２０５から入力されるＳＲＳと、送受信間で既知であるＲＳ用系列とを複素除算して周波数領域の相関信号を求める。次いで、ＳＲＳ用ＳＩＮＲ測定部２０７は、周波数領域の相関信号に対してＩＤＦＴ（Inverse Discrete Fourier Transform）処理を行い、時間領域の相関信号（つまり、遅延プロファイル）を算出する。この遅延プロファイルには、複数の端末のＳＲＳが含まれている。そこで、ＳＲＳ用ＳＩＮＲ測定部２０７は、巡回シフト量設定部２０６から入力される、所望端末の巡回シフト量を用いて、遅延プロファイルのうち、所望端末の巡回シフト量に相当する部分以外をマスクすることにより、所望端末のＳＲＳのＳＩＮＲ測定値（ＳＲＳ用ＳＩＮＲ測定値）を算出する。そして、ＳＲＳ用ＳＩＮＲ測定部２０７は、算出したＳＲＳ用ＳＩＮＲ測定値を、データ用ＳＩＮＲ導出部２０９に出力する。
【００４２】
オフセット設定部２０８は、端末１００のオフセット設定部１０６と同様の処理を行う。つまり、オフセット設定部２０８は、端末１００（所望端末）から送信されるＳＲＳの送信電力設定の際に用いる、ＰＵＳＣＨに対する送信電力のオフセット（送信電力オフセット値。つまり、式（２）に示す（PSRS_OFFSET＋Δoffset））を設定する。すなわち、オフセット設定部２０８は、所望端末から前回送信された上り回線チャネルの送信時刻から今回送信されたＳＲＳの送信時刻までの経過時間に応じて、オフセット値PSRS_OFFSETの補正値Δoffsetを設定し、送信電力オフセット値（PSRS_OFFSET＋Δoffset）を決定する。そして、オフセット設定部２０８は、決定した送信電力オフセット値（PSRS_OFFSET＋Δoffset）をデータ用ＳＩＮＲ導出部２０９に出力する。
【００４３】
データ用ＳＩＮＲ導出部２０９は、ＳＲＳ用ＳＩＮＲ測定部２０７から入力されるＳＲＳ用ＳＩＮＲ測定値、及び、オフセット設定部２０８から入力される送信電力オフセット値を用いて、上り回線データ（つまり、ＰＵＳＣＨ）のＳＩＮＲ（データ用ＳＩＮＲ測定値）を導出する。具体的には、データ用ＳＩＮＲ導出部２０９は、送信電力オフセット値（PSRS_OFFSET＋Δoffset）を用いて、次式（３）に従って、データ用ＳＩＮＲ測定値を導出する。
データ用ＳＩＮＲ測定値＝ＳＲＳ用ＳＩＮＲ測定値−（PSRS_OFFSET＋Δoffset）      (3)
【００４４】
そして、基地局２００は、データ用ＳＩＮＲ導出部２０９で導出されたデータ用ＳＩＮＲ測定値などを用いて、端末１００のスケジューリング（例えば、周波数リソース割当及びＭＣＳ選択）を行う。
【００４５】
なお、基地局２００において、巡回シフト量設定部２０６、ＳＲＳ用ＳＩＮＲ測定部２０７、オフセット設定部２０８およびデータ用ＳＩＮＲ導出部２０９を含むチャネル品質導出部２１０を構成してもよい。
【００４６】
次に、端末１００のオフセット設定部１０６（図２）における送信電力オフセット値の設定処理の詳細について説明する。
【００４７】
ここで、端末１００のパワーアンプ（ＰＡ：Power Amplifier）の温度は時間の経過に伴い変化するので、ＰＡの増幅特性は時間の経過とともに変化する。このため、上り回線チャネル（ＰＵＳＣＨ、ＰＵＣＣＨ及びＳＲＳを含む上り回線信号）の送信時間間隔が長いほど、端末１００におけるＰＡの増幅特性の変化度合はより大きくなる。つまり、上り回線チャネルの送信時間間隔が長いほど、ＴＰＣ誤差はより大きくなることが想定される。
【００４８】
すなわち、端末１００では、前回送信された上り回線チャネルの送信時刻から今回送信される上り回線チャネルの送信時刻までの経過時間（送信時間間隔）に応じてＴＰＣ誤差は異なる。具体的には、前回送信された上り回線チャネルの送信時刻から今回送信される上り回線チャネルの送信時刻までの経過時間（送信時間間隔）が短いほど、ＴＰＣ誤差はより小さくなる。
【００４９】
そこで、オフセット設定部１０６は、前回送信された上り回線チャネルの送信時刻から今回送信されるＳＲＳの送信時刻までの経過時間（送信時間間隔）に応じて、ＳＲＳの送信電力設定の際に用いる送信電力オフセット値（式（２）に示す（PSRS_OFFSET＋Δoffset））を設定する。
【００５０】
なお、以下の説明では、端末１００は、式（２）に示す送信電力式を用いてＳＲＳの送信電力PSRS(i)を算出する。また、式（２）に示すPSRS_OFFSETは、想定される最大ＴＰＣ誤差を基準に設定されている。つまり、式（２）に示すPSRS_OFFSETは、想定される最大ＴＰＣ誤差が生じた場合でも基地局２００でのＳＲＳのＳＩＮＲ測定精度の劣化が少なくなるように、あるいは劣化しないように設定されたパラメータである。また、式（２）に示すPSRS_OFFSETは、基地局２００から端末１００へ通知（指示）される。また、以下の説明では、前回送信された上り回線チャネルの送信時刻から今回送信されるＳＲＳの送信時刻までの経過時間（送信時間間隔）Ｔが２０ｍｓ以下の場合をＴＰＣ誤差が小さい場合とし、経過時間Ｔが２０ｍｓより長い場合をＴＰＣ誤差が大きい場合とする。
【００５１】
経過時間算出部１０７は、前回送信された上り回線チャネルの送信時刻から今回送信されるＳＲＳの送信時刻までの経過時間Ｔを算出する。
【００５２】
次いで、オフセット値決定部１０８は、経過時間算出部１０７が算出した経過時間Ｔに応じて、基地局２００から指示されたオフセット値PSRS_OFFSETの補正値Δoffsetを設定する。
【００５３】
例えば、図４に示すように、オフセット値決定部１０８は、経過時間Ｔが２０ｍｓｅｃ以下の場合（ＴＰＣ誤差が小さい場合）、補正値Δoffsetを−６ｄＢに設定する。一方、図４に示すように、オフセット値決定部１０８は、経過時間Ｔが２０ｍｓｅｃより長い場合（ＴＰＣ誤差が大きい場合）、補正値Δoffsetを０ｄＢに設定する。そして、オフセット値決定部１０８は、基地局２００から指示されたオフセット値PSRS_OFFSETに補正値Δoffsetを加えることで、送信電力オフセット値（PSRS_OFFSET＋Δoffset）を決定する。
【００５４】
つまり、基地局２００から指示されるオフセット値PSRS_OFFSETが、想定される最大ＴＰＣ誤差を基準に設定されている場合、オフセット値決定部１０８は、経過時間Ｔが長い場合（図４ではＴ＞２０ｍｓの場合）、補正値Δoffsetを０ｄＢに設定して、基地局２００から指示されたオフセット値PSRS_OFFSETを、送信電力オフセット値としてそのまま用いる。一方、オフセット値決定部１０８は、経過時間Ｔが短い場合（図４ではＴ≦２０ｍｓの場合）、補正値Δoffsetを−６ｄＢに設定して、基地局２００から指示されたオフセット値PSRS_OFFSETをより小さい値に補正して、オフセット値PSRS_OFFSETよりも小さい値を送信電力オフセット値として設定する。
【００５５】
このように、端末１００は、前回送信された上り回線チャネルと、今回送信されるＳＲＳとの間の送信時間間隔（経過時間Ｔ）に応じて、基地局２００から指示されたオフセット値の補正値として異なる値を設定する。具体的には、端末１００は、経過時間Ｔが短い場合（図４ではＴ≦２０ｍｓの場合。つまり、ＴＰＣ誤差が小さい場合）のＳＲＳの送信電力PSRS(i)が、経過時間Ｔが長い場合（図４ではＴ＞２０ｍｓの場合。つまり、ＴＰＣ誤差が大きい場合）のＳＲＳの送信電力PSRS(i)よりも低くなるように、補正値Δoffsetを設定する。つまり、端末１００は、経過時間Ｔが短くなるほど、ＳＲＳの送信電力PSRS(i)をより小さく設定する。
【００５６】
ここで、上述したように、経過時間Ｔが短いほどＴＰＣ誤差が小さい。よって、端末１００が、経過時間Ｔが短い場合（図４ではＴ≦２０ｍｓの場合）にＳＲＳの送信電力をより小さく設定しても、ＴＰＣ誤差の影響により受信ＳＩＮＲが或るレベル（図１では０ｄＢ以下）まで低くなる可能性は低く、基地局２００におけるＳＩＮＲ測定精度が劣化する可能性は低くなる。
【００５７】
つまり、端末１００は、経過時間Ｔに応じて基地局２００から指示されたオフセット値を補正することにより、基地局２００で所望の受信ＳＩＮＲ（ＳＩＮＲ測定精度が劣化しない受信ＳＩＮＲ）を得ることができる必要最低限の送信電力まで、ＳＲＳの送信電力を低く設定することが可能となる。これにより、基地局２００でのＳＲＳのＳＩＮＲ測定精度（チャネル品質精度）を確保しつつ、端末１００での消費電力を必要最低限に抑えることが可能となる。換言すると、端末１００では、想定されるＴＰＣ誤差に応じた適切なＳＲＳの送信電力を設定することにより、無駄な消費電力を削減することができる。
【００５８】
このようにして、本実施の形態によれば、端末は、前回送信された上り回線チャネル（上り回線信号）と、今回送信されるＳＲＳとの間の送信条件（ここでは送信時間間隔）に応じて、送信電力オフセット値を設定する。これにより、端末では、上記送信時間間隔が短いほど、つまり、ＴＰＣ誤差の影響が小さいほど、ＳＲＳの送信電力をより小さくすることが可能となる。これにより、基地局におけるＴＰＣ誤差によるＳＩＮＲ測定精度の劣化を防止しつつ、端末の消費電力の増加を抑えることができる。また、本実施の形態によれば、端末は、ＳＲＳの送信電力を必要最低限に抑えることで、セル間干渉を低減することができる。
【００５９】
また、本実施の形態では、例えば、図４に示す経過時間Ｔと補正値Δoffsetとの対応付けをシステムで予め定義する場合、ＳＲＳ送信電力制御のためのＳＲＳ送信毎のシグナリングは不要となる。又は、図４に示す経過時間Ｔと補正値Δoffsetとの対応付けをパラメータとして基地局から端末へ予め通知する場合には、そのパラメータは比較的長い周期、若しくは、１度だけ端末へ通知されればよく、ＳＲＳ送信電力制御のためのＳＲＳ送信毎のシグナリングは不要となる。よって、これらの場合には、ＳＲＳの送信電力制御に要するシグナリングのオーバーヘッドの増加を抑えることができる。
【００６０】
さらに、本実施の形態によれば、基地局は、ＳＲＳの送信電力と、ＰＵＳＣＨの送信電力との差（つまり、ＳＲＳの送信電力オフセット値）を把握できるので、ＳＲＳのＳＩＮＲ測定値（ＳＲＳ用ＳＩＮＲ測定値）から、ＰＵＳＣＨのＳＩＮＲ測定値（データ用ＳＩＮＲ測定値）を導出することができる。よって、基地局では、上述したように、ＳＲＳのＳＩＮＲ測定精度の劣化を防止することで、ＰＵＳＣＨのＳＩＮＲ測定精度の劣化も防止することが可能となる。よって、基地局は、ＰＵＳＣＨのスケジューリング（周波数リソース割当及びＭＣＳ選択）を精度良く行うことが可能となる。
【００６１】
なお、本実施の形態では、端末が、前回送信した上り回線チャネルの送信時刻から、今回送信するＳＲＳの送信時刻までの経過時間Ｔを用いる場合（図４）について説明した。しかし、本発明では、端末は、端末が前回送信したＳＲＳの送信時刻から今回送信するＳＲＳの送信時刻までの経過時間、つまり、ＳＲＳの送信周期に応じて、基地局から指示されるオフセット値PSRS_OFFSETの補正値Δoffsetを設定してもよい。具体的には、図５に示すように、端末は、ＳＲＳの送信周期ＴＳＲＳが２０ｍｓ以下の場合（ＴＰＣ誤差が小さい場合）、補正値Δoffsetを−６ｄＢに設定し、ＳＲＳの送信周期ＴＳＲＳが２０ｍｓより長い場合（ＴＰＣ誤差が大きい場合）、補正値Δoffsetを０ｄＢに設定してもよい。つまり、端末は、ＳＲＳの送信周期が短い場合のＳＲＳの送信電力が、ＳＲＳの送信周期が長い場合のＳＲＳの送信電力よりも低くなるように、オフセット値PSRS_OFFSETを設定する。ただし、図５では、図４と同様、式（２）に示すPSRS_OFFSETは、想定される最大ＴＰＣ誤差を基準に設定されている。つまり、端末は、ＳＲＳの送信周期ＴＳＲＳが短いほど、補正値Δoffsetをより小さくして、ＳＲＳの送信電力を小さくする。換言すると、端末は、ＳＲＳ周期ＴＳＲＳが短い場合（図５ではＴＳＲＳ≦２０ｍｓの場合。つまり、ＴＰＣ誤差が小さい場合）のＳＲＳの送信電力が、ＳＲＳ送信周期ＴＳＲＳが長い場合（図５ではＴＳＲＳ＞２０ｍｓの場合。つまり、ＴＰＣ誤差が大きい場合）のＳＲＳの送信電力よりも低くなるように、補正値Δoffsetを設定する。ここで、ＳＲＳ周期ＴＳＲＳは、基地局が端末へ予め通知するパラメータである。よって、基地局は、ＳＲＳの送信周期に基づいてオフセット値を設定することができ、本実施の形態のように全端末における上り回線チャネルの送信時刻（図４における経過時間Ｔ）を常に把握する必要がなくなる。つまり、本実施の形態（図４に示す経過時間Ｔを用いる場合）と比較して、ＳＲＳ周期ＴＳＲＳをＳＲＳの送信電力制御に用いる場合には、端末（図２に示すオフセット設定部１０６）と基地局（図３に示すオフセット設定部２０８）との間でＳＲＳの送信電力のための認識を合わせること（送信電力オフセット値の設定処理）が容易となる。
【００６２】
また、図５では、周期的に送信されるＳＲＳについて説明したが、送信周期が設定されないＳＲＳ（1 shot SRS等）に対しても本発明を適用してもよい。例えば、端末は、送信周期が設定されないＳＲＳを、送信周期が設定されているＳＲＳの中で最大の周期（例えば、ＬＴＥでは３２０ｍｓ）が設定されたＳＲＳとして扱ってもよい。又は、端末は、送信周期が設定されないＳＲＳに対しては、図４と同様にして、前回送信された上り回線チャネル（ＰＵＳＣＨ、ＰＵＣＣＨ及びＳＲＳ）の送信時刻から、ＳＲＳ（1 shot SRS等）の送信時刻までの経過時間Ｔに応じて送信電力オフセット値を設定してもよい。
【００６３】
また、本実施の形態では、端末が、図４に示す経過時間Ｔ又は図５に示すＳＲＳ周期ＴＳＲＳに応じて、基地局から指示されるオフセット値PSRS_OFFSETの補正値Δoffsetとして、異なる２つの値のいずれかを設定する場合（つまり、式（２）に示す送信電力オフセット値（PSRS_OFFSET+Δoffset）を２段階で設定する場合）について説明した。しかし、端末は、これに限らず、経過時間Ｔ又はＳＲＳ周期ＴＳＲＳに応じて、基地局から指示されるオフセット値PSRS_OFFSETの補正値Δoffsetとして、異なる３つ以上の値のいずれかを設定（つまり、式（２）に示す送信電力オフセット値（PSRS_OFFSET+Δoffset）を３段階以上で設定）してもよい。
【００６４】
また、本実施の形態では、図４又は図５に示すように、端末が、経過時間Ｔ又はＳＲＳ周期ＴＳＲＳに応じて、基地局から指示されるオフセット値PSRS_OFFSETの補正値Δoffsetを変更する場合について説明した。しかし、端末は、経過時間Ｔ又はＳＲＳ周期ＴＳＲＳに応じてＳＲＳの送信電力を設定する式を変更してもよい。例えば、端末は、経過時間Ｔが２０ｍｓ以下の場合には、次式（４）に従ってＳＲＳの送信電力PSRS(i)を算出し、経過時間Ｔが２０ｍｓより長い場合には、次式（５）に従ってＳＲＳの送信電力PSRS(i)を算出する。
【数３】
0005954720.tif 000004
【数４】
0005954720.tif 000005
【００６５】
なお、式（４）及び式（５）において、PSRS_OFFSETは、経過時間Ｔが２０ｍｓより長い場合に想定される最大ＴＰＣ誤差が生じた場合でもＳＩＮＲ測定精度の劣化を防止できる値として設定されている。つまり、経過時間Ｔが２０ｍｓより長い場合（ＴＰＣ誤差が大きい場合）には、端末は、式（５）に示すように、オフセット値PSRS_OFFSETの補正を行わずにＳＲＳの送信電力PSRS(i)を算出する。一方、経過時間Ｔが２０ｍｓ以下の場合（ＴＰＣ誤差が小さい場合）には、端末は、式（４）に示すように、補正値Δoffsetによりオフセット値PSRS_OFFSETの補正を行ってＳＲＳの送信電力PSRS(i)を算出する。これにより、本実施の形態と同様、ＳＲＳのＳＩＮＲ測定精度の劣化を防止しつつ、端末の消費電力をより低くすることができる。
【００６６】
（実施の形態２）
実施の形態１では、端末が、前回送信された上り回線チャネルと今回送信されるＳＲＳとの間の送信時間間隔（経過時間）に応じて、基地局から指示されるオフセット値の補正値を設定する場合について説明した。これに対して、本実施の形態では、端末が、前回送信された上り回線チャネルと今回送信されるＳＲＳとの間の送信電力の変化量に応じて、基地局から指示されるオフセット値の補正値を設定する場合について説明する。
【００６７】
以下、本実施の形態について具体的に説明する。本実施の形態に係る端末３００の構成を図６に示す。なお、図６において、実施の形態１（図２）と同一の構成要素には同一の符号を付しその説明を省略する。
【００６８】
図６に示す端末３００において、オフセット設定部３０１は、電力変化量算出部３０２及びオフセット値決定部３０３で構成され、ＲＳ用系列（ＳＲＳ）の送信電力を設定する際に用いる、ＰＵＳＣＨの送信電力に対するオフセット値（送信電力オフセット値。式（２）に示す（PSRS_OFFSET＋Δoffset））を設定する。
【００６９】
具体的には、電力変化量算出部３０２は、端末３００が前回送信した上り回線チャネル（例えば、ＰＵＳＣＨ、ＰＵＣＣＨ及びＳＲＳを含む上り回線信号）の送信電力と、今回送信するＳＲＳの送信電力との差である電力変化量ΔＰ（Relative power toleranceの大きさ）を算出する。ただし、電力変化量算出部３０２は、今回送信するＳＲＳの送信電力として、基地局２００（図３）から指示されたオフセット値PSRS_OFFSETを用いて算出される、今回送信されるＳＲＳの送信電力（補正されていないオフセット値を用いて算出される送信電力）を用いる。そして、電力変化量算出部３０２は、算出した電力変化量ΔＰをオフセット値決定部３０３に出力する。
【００７０】
オフセット値決定部３０３は、電力変化量算出部３０２から入力される電力変化量ΔＰに応じて、基地局２００から指示されるオフセット値PSRS_OFFSETの補正値Δoffsetを設定する。そして、オフセット値決定部３０３は、基地局２００から指示されるオフセット値PSRS_OFFSETを、設定した補正値Δoffsetで補正することにより、送信電力オフセット値（式（２）に示す（PSRS_OFFSET＋Δoffset））を決定する。そして、オフセット値決定部３０３は、決定したＰＵＳＣＨの送信電力に対するオフセット値（PSRS_OFFSET＋Δoffset）を送信電力制御部１１１に出力する。
【００７１】
また、本実施の形態に係る基地局２００のオフセット設定部２０８（図３）は、端末３００のオフセット設定部３０１と同様の処理を行う。つまり、オフセット設定部２０８は、端末３００（所望端末）から送信されるＳＲＳの送信電力設定の際に用いる、ＰＵＳＣＨに対する送信電力のオフセット（送信電力オフセット値。つまり、式（２）に示す（PSRS_OFFSET＋Δoffset））を設定する。すなわち、オフセット設定部２０８は、所望端末から前回送信された上り回線チャネルの送信電力と、今回送信されるＳＲＳの送信電力（補正されていないオフセット値PSRS_OFFSETを用いて算出される送信電力）との差である電力変化量ΔＰに応じて、オフセット値PSRS_OFFSETの補正値Δoffsetを設定し、送信電力オフセット値（PSRS_OFFSET＋Δoffset）を決定する。
【００７２】
次に、端末３００のオフセット設定部３０１（図６）における送信電力オフセット値の設定処理の詳細について説明する。
【００７３】
ここで、端末３００の増幅回路として複数段構成のパワーアンプ（ＰＡ）が実装される場合、前回送信された上り回線チャネル（ＰＵＳＣＨ、ＰＵＣＣＨ及びＳＲＳ）の送信電力と今回送信される上り回線チャネルの送信電力との差である電力変化量が大きくなるほど、増幅する際に使用されるＰＡの段数の増減が大きくなる。つまり、上り回線チャネルの電力変化量が大きくなるほどＰＡの段数の増減が大きくなるので、電力変化前後におけるＰＡの各段における誤差が加算され、ＴＰＣ誤差はより大きくなる。
【００７４】
また、送信電力は送信信号の周波数帯域幅に比例する。このため、電力変化量が大きいほど（送信電力の増減が大きいほど）、送信信号の周波数位置及び帯域幅は大きく変化する。また、ＰＡの増幅特性は、周波数（周波数位置及び帯域幅）にも依存するので、電力変化量が大きいほど（周波数位置及び帯域幅の増減が大きいほど）、ＴＰＣ誤差はより大きくなる。
【００７５】
すなわち、端末３００では、前回送信された上り回線チャネルの送信電力と今回送信される上り回線チャネルの送信電力との間の電力変化量に応じてＴＰＣ誤差は異なる。具体的には、電力変化量が小さいほど（ＰＡの段数の増減が小さいほど、つまり、送信信号の周波数位置及び帯域幅の変化が小さいほど）、ＴＰＣ誤差はより小さくなることが想定される。
【００７６】
そこで、オフセット設定部３０１は、前回送信された上り回線チャネルの送信電力と、オフセット値PSRS_OFFSETを用いて算出されるＳＲＳの送信電力（今回送信されるＳＲＳの送信電力）との差である電力変化量ΔＰに応じて、ＳＲＳの送信電力設定の際に用いる送信電力オフセット値（式（２）に示す（PSRS_OFFSET＋Δoffset））を設定する。
【００７７】
なお、以下の説明では、実施の形態１と同様、端末３００は、式（２）に示す送信電力式を用いてＳＲＳの送信電力PSRS(i)を算出する。また、実施の形態１と同様、式（２）に示すPSRS_OFFSETは、想定される最大ＴＰＣ誤差を基準に設定されている。また、実施の形態１と同様、式（２）に示すPSRS_OFFSETは、基地局２００から端末３００へ通知される。
【００７８】
オフセット設定部３０１の電力変化量算出部３０２は、上り回線回線で前回送信された上り回線チャネルの送信電力と、オフセット値PSRS_OFFSETを用いて算出される送信電力（補正されていないオフセット値を用いて算出される、今回送信されるＳＲＳの送信電力）との差である電力変化量ΔＰを算出する。
【００７９】
次いで、オフセット設定部３０１のオフセット値決定部３０３は、電力変化量算出部３０２が算出した電力変化量ΔＰに応じて、基地局２００から指示されたオフセット値PSRS_OFFSETの補正値Δoffsetを設定する。
【００８０】
例えば、図７に示すように、オフセット値決定部３０３は、電力変化量ΔＰが１５ｄＢ以上の場合、補正値Δoffsetを０ｄＢに設定する。また、図７に示すように、オフセット値決定部３０３は、電力変化量ΔＰが１０ｄＢ以上かつ１５ｄＢ未満の場合、補正値Δoffsetを−１ｄＢに設定する。同様に、図７に示すように、オフセット値決定部３０３は、電力変化量ΔＰが４ｄＢ以上かつ１０ｄＢ未満の場合、補正値Δoffsetを−３ｄＢに設定し、電力変化量ΔＰが３ｄＢ以上かつ４ｄＢ未満の場合、補正値Δoffsetを−４ｄＢに設定し、電力変化量ΔＰが２ｄＢ以上かつ３ｄＢ未満の場合、補正値Δoffsetを−５ｄＢに設定し、電力変化量ΔＰが２ｄＢ未満の場合、補正値Δoffsetを−６ｄＢに設定する。そして、オフセット値決定部３０３は、基地局２００から指示されたオフセット値PSRS_OFFSETに補正値Δoffsetを加えることで、送信電力オフセット値（PSRS_OFFSET＋Δoffset）を決定する。
【００８１】
つまり、基地局２００から指示されるオフセット値PSRS_OFFSETが、想定される最大ＴＰＣ誤差を基準に設定されている場合、オフセット値決定部３０３は、電力変化量ΔＰが小さいほど（ＴＰＣ誤差が小さいほど）、補正値Δoffsetをより小さく設定する。つまり、オフセット値決定部３０３は、電力変化量ΔＰが小さいほど、オフセット値PSRS_OFFSETをより小さい値に補正して、オフセット値PSRS_OFFSETよりも小さい値を、送信電力オフセット値として設定する。
【００８２】
このように、端末３００は、端末３００で前回送信された上り回線チャネルと、今回送信されるＳＲＳとの間の送信電力の変化量（電力変化量ΔＰ）に応じて、基地局２００から指示されたオフセット値の補正値として異なる値を設定する。具体的には、端末３００は、電力変化量ΔＰが小さい場合（つまり、ＴＰＣ誤差が小さい場合）のＳＲＳの送信電力PSRS(i)が、電力変化量ΔＰが大きい場合（つまり、ＴＰＣ誤差が大きい場合）のＳＲＳの送信電力PSRS(i)よりも低くなるように、補正値Δoffsetを設定する。つまり、端末３００は、電力変化量ΔＰが小さくなるほど、ＳＲＳの送信電力をより小さく設定する。
【００８３】
ここで、上述したように、電力変化量ΔＰが小さいほどＴＰＣ誤差が小さい。よって、端末３００が、電力変化量ΔＰが小さいほどＳＲＳの送信電力をより小さく設定しても、ＴＰＣ誤差の影響により受信ＳＩＮＲが或るレベル（図１では０ｄＢ以下）まで低くなる可能性は低く、基地局２００におけるＳＩＮＲ測定精度が劣化する可能性は低くなる。
【００８４】
つまり、端末３００は、電力変化量ΔＰに応じて基地局２００から指示されたオフセット値を補正することにより、基地局２００で所望の受信ＳＩＮＲ（ＳＩＮＲ測定精度が劣化しない受信ＳＩＮＲ）を得ることができる必要最低限の送信電力まで、ＳＲＳの送信電力を低く設定することが可能となる。これにより、基地局２００でのＳＲＳのＳＩＮＲ測定精度（チャネル品質精度）を確保しつつ、端末３００での消費電力を必要最低限に抑えることが可能となる。換言すると、端末３００では、想定されるＴＰＣ誤差に応じた適切なＳＲＳの送信電力を設定することにより、無駄な消費電力を削減することができる。
【００８５】
このようにして、本実施の形態によれば、端末は、前回送信された上り回線チャネル（上り回線信号）と、今回送信されるＳＲＳとの間の送信条件（ここでは送信電力の変化量）に応じて、送信電力オフセット値を設定する。これにより、端末では、上記送信電力の変化量が小さいほど、つまり、ＴＰＣ誤差の影響が小さいほど、ＳＲＳの送信電力をより小さくすることが可能となる。これにより、基地局におけるＴＰＣ誤差によるＳＩＮＲ測定精度の劣化を防止しつつ、端末の消費電力の増加を抑えることができる。また、本実施の形態によれば、端末は、ＳＲＳの送信電力を必要最低限に抑えることで、セル間干渉を低減することができる。
【００８６】
また、本実施の形態では、例えば、図７に示す電力変化量ΔＰと補正値Δoffsetとの対応付けをシステムで予め定義する場合、ＳＲＳ送信電力制御のためのＳＲＳ送信毎のシグナリングは不要となる。又は、図７に示す電力変化量ΔＰと補正値Δoffsetとの対応付けをパラメータとして基地局から端末へ予め通知する場合には、そのパラメータは比較的長い周期、若しくは、１度だけ端末へ通知されればよく、ＳＲＳ送信電力制御のためのＳＲＳ送信毎のシグナリングは不要となる。よって、これらの場合には、実施の形態１と同様、ＳＲＳの送信電力制御に要するシグナリングのオーバーヘッドの増加を抑えることができる。
【００８７】
さらに、本実施の形態によれば、基地局は、ＳＲＳの送信電力と、ＰＵＳＣＨの送信電力との差（つまり、ＳＲＳの送信電力オフセット値）を把握できるので、ＳＲＳのＳＩＮＲ測定値（ＳＲＳ用ＳＩＮＲ測定値）から、ＰＵＳＣＨのＳＩＮＲ測定値（データ用ＳＩＮＲ測定値）を導出することができる。よって、基地局では、上述したように、ＳＲＳのＳＩＮＲ測定精度の劣化を防止することで、ＰＵＳＣＨのＳＩＮＲ測定精度の劣化も防止することが可能となる。よって、基地局は、実施の形態１と同様、ＰＵＳＣＨのスケジューリング（周波数リソース割当及びＭＣＳ選択）を精度良く行うことが可能となる。
【００８８】
（実施の形態３）
実施の形態１では、端末が、ＳＲＳの送信周期に応じて、基地局から指示されるオフセット値の補正値を設定する場合について説明した。これに対して、本実施の形態では、端末が、送信周期が設定されないＳＲＳに対して、基地局から指示されるオフセット値を設定する場合について説明する。
【００８９】
以下、本実施の形態について具体的に説明する。本実施の形態に係る端末５００の構成を図８に示す。なお、図８において、実施の形態１（図２）と同一の構成要素には同一の符号を付しその説明を省略する。
【００９０】
図８に示す端末５００において、オフセット設定部５０１は、ＳＲＳ種別設定部５０２及びオフセット値決定部５０３で構成され、ＲＳ用系列（ＳＲＳ）の送信電力を設定する際に用いる、ＰＵＳＣＨの送信電力に対するオフセット値（送信電力オフセット値。式（１）に示すPSRS_OFFSET）を設定する。
【００９１】
具体的には、ＳＲＳ種別設定部５０２は、端末５００が上り回線で今回送信するＳＲＳの種別を設定する。ＳＲＳの種別には、送信周期が設定されたＳＲＳ（以下、Ｐｅｒｉｏｄｉｃ−ＳＲＳと呼ぶ）と、送信周期が設定されないＳＲＳ（以下、Ａｐｅｒｉｏｄｉｃ−ＳＲＳと呼ぶ）とがある。Ａｐｅｒｉｏｄｉｃ−ＳＲＳは、基地局２００からのトリガー信号を受信してから１回或いは所定の複数回数だけ送信されるＳＲＳを指す。ＳＲＳ種別設定部５０２は、今回送信するＳＲＳが何れの種別であるかを示す情報（今回送信するＳＲＳのＳＲＳ種別）をオフセット値決定部５０３に出力する。
【００９２】
オフセット値決定部５０３は、ＳＲＳ種別設定部５０２から入力されるＳＲＳ種別に応じて、基地局２００から予め指示された、ＳＲＳ種別に対応付けられたオフセット値PSRS_OFFSET（式（１）に示すPSRS_OFFSET）を決定する。そして、オフセット値決定部５０３は、決定したＰＵＳＣＨの送信電力に対するオフセット値（PSRS_OFFSET）を送信電力制御部１１１に出力する。
【００９３】
また、本実施の形態に係る基地局２００のオフセット設定部２０８（図３）は、端末５００のオフセット設定部５０１と同様の処理を行う。つまり、オフセット設定部２０８は、端末５００（所望端末）から送信されるＳＲＳの送信電力設定の際に用いる、ＰＵＳＣＨに対する送信電力のオフセット（送信電力オフセット値。つまり、式（１）に示すPSRS_OFFSET）を設定する。すなわち、オフセット設定部２０８は、所望端末から今回送信されるＳＲＳの種別に応じて、ＳＲＳの種別に対応付けられたオフセット値PSRS_OFFSETを決定する。
【００９４】
次に、端末５００のオフセット設定部５０１（図８）における送信電力オフセット値の設定処理の詳細について説明する。
【００９５】
ここで、Ａｐｅｒｉｏｄｉｃ−ＳＲＳとＰｅｒｉｏｄｉｃ−ＳＲＳとでは必要な送信電力が異なる。具体的には、以下の３つの理由により、Ａｐｅｒｉｏｄｉｃ−ＳＲＳの方がＰｅｒｉｏｄｉｃ−ＳＲＳよりも大きな送信電力が必要になる傾向がある。
【００９６】
１つ目の理由は、Ａｐｅｒｉｏｄｉｃ−ＳＲＳでは、周期的に送信されるＰｅｒｉｏｄｉｃ−ＳＲＳに比べて送信経過時間が長くなり、ＴＰＣ誤差が大きくなる可能性が高い点である。Ｐｅｒｉｏｄｉｃ−ＳＲＳにおいて、送信周期を短く設定すれば（例えば２０ｍｓ以下）、ＴＰＣ誤差を小さく抑えられる。一方、Ａｐｅｒｉｏｄｉｃ−ＳＲＳにおいて、送信前に上り回線チャネル（ＰＵＳＣＨ等）の送信が無い場合には、送信経過時間が長くなるため、ＴＰＣ誤差が大きくなる。このＴＰＣ誤差によるチャネル品質の測定精度劣化を防止するには、Ａｐｅｒｉｏｄｉｃ−ＳＲＳに対してより大きな電力が必要となる。
【００９７】
２つ目の理由は、Ａｐｅｒｉｏｄｉｃ−ＳＲＳでは、送信されるＳＲＳの数が制限されるため、Ｐｅｒｉｏｄｉｃ−ＳＲＳのように複数ＳＲＳの平均化による測定精度の向上ができない点である。よって、Ｐｅｒｉｏｄｉｃ−ＳＲＳと同程度の測定精度を得るには、Ａｐｅｒｉｏｄｉｃ−ＳＲＳに対してより大きな電力が必要となる。
【００９８】
３つ目の理由は、Ａｐｅｒｉｏｄｉｃ−ＳＲＳでは、瞬時の上り回線チャネル品質を求め、ＰＵＳＣＨのＭＣＳ選択を高精度に行う用途がある点である。つまり、より高精度の測定精度が求められるＡｐｅｒｉｏｄｉｃ−ＳＲＳは、Ｐｅｒｉｏｄｉｃ−ＳＲＳよりも大きな電力が必要となる。
【００９９】
これらの理由から、ＳＲＳ種別（Ａｐｅｒｉｏｄｉｃ−ＳＲＳ又はＰｅｒｉｏｄｉｃ−ＳＲＳ）によって必要な送信電力が異なることが考えられる。ＳＲＳの送信電力を決定するためのオフセット値PSRS_OFFSETがＳＲＳ種別に依らず同じである場合には、端末は、より大きな送信電力が必要になるＳＲＳ種別（ここでは主にＡｐｅｒｉｏｄｉｃ−ＳＲＳ）の送信電力（オフセット値）に合わせて、他のＳＲＳ種別（ここでは主にＰｅｒｉｏｄｉｃ−ＳＲＳ）の送信電力を決定する必要がある。この場合、Ｐｅｒｉｏｄｉｃ−ＳＲＳの送信電力が過剰になり、端末の電力消費が増加してしまう。また、Ａｐｅｒｉｏｄｉｃ−ＳＲＳの送信の度にオフセット値PSRS_OFFSETを更新するのでは、制御情報の通知頻度が増えるためシステムのオーバーヘッドが増加してしまう。
【０１００】
そこで、本実施の形態では、端末５００のオフセット設定部５０１は、今回送信するＳＲＳ種別（具体的には、Ａｐｅｒｉｏｄｉｃ−ＳＲＳ及びＰｅｒｉｏｄｉｃ−ＳＲＳ）に応じて、ＳＲＳの送信電力設定の際に用いるオフセット値PSRS_OFFSET（式（１）に示すPSRS_OFFSET）を設定する。
【０１０１】
なお、以下の説明では、端末５００は、式（１）に示す送信電力式を用いてＳＲＳの送信電力PSRS(i)を算出する。また、式（１）に示すPSRS_OFFSETは、ＳＲＳ種別毎の最大ＴＰＣ誤差等を基準に設定されている。つまり、オフセット値PSRS_OFFSETは、測定品質の要求を満たすために必要な値に設定されている。オフセット値PSRS_OFFSETは、基地局２００から端末４００へ予め通知される（ＳＲＳ種別毎のPSRS_OFFSETの通知方法の詳細は後述する）。
【０１０２】
ＳＲＳ種別設定部５０２は、今回送信するＳＲＳ種別（Ａｐｅｒｉｏｄｉｃ−ＳＲＳ、あるいは、Ｐｅｒｉｏｄｉｃ−ＳＲＳ）を、オフセット値決定部５０３へ設定する。
【０１０３】
次いで、オフセット値決定部５０３は、ＳＲＳ種別設定部５０２が設定したＳＲＳ種別に対応付けられたオフセット値PSRS_OFFSETを設定する。
【０１０４】
例えば、図９に示すように、オフセット値決定部５０３は、Ａｐｅｒｉｏｄｉｃ−ＳＲＳを送信する場合、オフセット値PSRS_OFFSETを３ｄＢに設定する。また、図９に示すように、オフセット値決定部５０３は、Ｐｅｒｉｏｄｉｃ−ＳＲＳを送信する場合、オフセット値PSRS_OFFSETを０ｄＢに設定する。つまり、オフセット値決定部５０３は、上述したように、より大きな送信電力が要求されるＡｐｅｒｉｏｄｉｃ−ＳＲＳの送信電力に対するオフセット値を、Ｐｅｒｉｏｄｉｃ−ＳＲＳの送信電力に対するオフセット値よりも大きく設定する。
【０１０５】
すなわち、オフセット値決定部５０３は、ＳＲＳの送信周期が設定されているか否かに応じて、オフセット値を設定する。具体的には、オフセット値決定部５０３は、Ｐｅｒｉｏｄｉｃ−ＳＲＳの送信電力がＡｐｅｒｉｏｄｉｃ−ＳＲＳの送信電力よりも低くなるように、オフセット値を設定する。
【０１０６】
なお、図９に示すＳＲＳ種別とオフセット値PSRS_OFFSETとの対応関係は基地局２００から端末５００へ予め通知しておく。各ＳＲＳ種別での最適なオフセット値PSRS_OFFSETは、基地局２００におけるＳＲＳの設定条件（例えば、Ｐｅｒｉｏｄｉｃ−ＳＲＳの送信周期、Ａｐｅｒｉｏｄｉｃ−ＳＲＳの使用タイミング等）に応じて求められる。よって、上記対応関係を頻繁に（短い周期で）通知する必要はない。
【０１０７】
ここで、図９に示すＳＲＳ種別とオフセット値との対応関係を、基地局２００から端末５００へ通知する具体例について説明する。ＬＴＥでは、Ｐｅｒｉｏｄｉｃ−ＳＲＳのオフセット値PSRS_OFFSETは、電力制御に関する情報（例えば、「3GPP TS36.331 V8.9.0(2010-03), “3GPP TSGRAN E-UTRA RRC Protocol specification (Release 8)”」に記載の“UplinkPowerControl“。式（１）のパラメータであるPo_PUSCH又はαの値が含まれる情報）として通知される。
【０１０８】
これに対して、本実施の形態のように、Ｐｅｒｉｏｄｉｃ−ＳＲＳのオフセット値PSRS_OFFSETに加えて、Ａｐｅｒｉｏｄｉｃ−ＳＲＳのオフセット値PSRS_OFFSETを通知する具体例として、以下に示す４つの通知方法が考えられる。以下に示すように、通知方法によってはＡｐｅｒｉｏｄｉｃ−ＳＲＳのオフセット値PSRS_OFFSETを通知するためのシグナリングが低減できる。
【０１０９】
１つ目の通知方法は、Ａｐｅｒｉｏｄｉｃ−ＳＲＳのオフセット値PSRS_OFFSETも、Ｐｅｒｉｏｄｉｃ−ＳＲＳのオフセット値PSRS_OFFSETの通知方法と同様に、電力制御に関する情報に含めて通知する方法である。この通知方法では、端末５００にＡｐｅｒｉｏｄｉｃ−ＳＲＳを送信させるために、基地局２００は、電力制御に関する情報に加えて、Ａｐｅｒｉｏｄｉｃ−ＳＲＳのＳＲＳリソース情報（例えば、「3GPP TS36.331 V8.9.0(2010-03), “3GPP TSGRAN E-UTRA RRC Protocol specification (Release 8)”」に記載の“SoundingRS-UL-Config”のようなＳＲＳ送信リソースを示す情報。ＳＲＳ送信の帯域幅又は周波数ホッピングパターン等が含まれる情報）を設定する必要がある。よって、この通知方法では、Ａｐｅｒｉｏｄｉｃ−ＳＲＳを設定するために、２種類のパラメータを通知する必要があるのでシグナリング量が増加する。
【０１１０】
２つ目の通知方法は、Ａｐｅｒｉｏｄｉｃ−ＳＲＳのオフセット値PSRS_OFFSETを、Ａｐｅｒｉｏｄｉｃ−ＳＲＳのＳＲＳリソース情報に含めて個別に通知する方法である。この通知方法では、端末５００にＡｐｅｒｉｏｄｉｃ−ＳＲＳを設定するために、基地局２００は、Ａｐｅｒｉｏｄｉｃ−ＳＲＳのＳＲＳリソース情報のみを通知すればよい。よって、この通知方法では、１つ目の通知方法に比べて、Ａｐｅｒｉｏｄｉｃ−ＳＲＳのオフセット値PSRS_OFFSETの通知のためのシグナリング量を低減できる。
【０１１１】
３つ目の通知方法は、実施の形態１，２と同様に、Ｐｅｒｉｏｄｉｃ−ＳＲＳのオフセット値PSRS_OFFSETに対するオフセット補正値（Δoffset）を通知する方法である。Ｐｅｒｉｏｄｉｃ−ＳＲＳの送信電力は式（１）を用いて算出され、Ａｐｅｒｉｏｄｉｃ-ＳＲＳの送信電力は式（２）を用いて算出される。ここで、Δoffsetの通知範囲をPSRS_OFFSETの通知範囲ほど大きく設ける必要がないので、Δoffsetの通知ビット数は、PSRS_OFFSETの通知ビット数（ＬＴＥでは4ビット）より小さくすることが可能である。よって、この通知方法では、Ａｐｅｒｉｏｄｉｃ−ＳＲＳのオフセット値PSRS_OFFSET（つまり、式（２）の“PSRS_OFFSET＋Δoffset”）の通知のためのシグナリング量を低減できる。なお、Δoffsetはシステム全体で定義した固定値としてもよい。この場合、基地局２００から端末５００へのシグナリングが必要ない。
【０１１２】
４つ目の通知方法は、Ａｐｅｒｉｏｄｉｃ−ＳＲＳのオフセット値PSRS_OFFSETとＰｅｒｉｏｄｉｃ−ＳＲＳのオフセット値PSRS_OFFSETとの間で通知範囲を異ならせる方法である。例えば、基地局２００は、Ａｐｅｒｉｏｄｉｃ−ＳＲＳとＰｅｒｉｏｄｉｃ−ＳＲＳとでオフセット値PSRS_OFFSETを通知するためのビット数を同一としても、以下のように各オフセット値PSRS_OFFSETとの通知範囲を異ならせる。
Ａｐｅｒｉｏｄｉｃ−ＳＲＳのオフセット値PSRS_OFFSETの通知範囲：−７．５〜１５ｄＢ
Ｐｅｒｉｏｄｉｃ−ＳＲＳのオフセット値PSRS_OFFSETの通知範囲：−１０．５〜１２ｄＢ
【０１１３】
つまり、Ｐｅｒｉｏｄｉｃ−ＳＲＳのオフセット値PSRS_OFFSETの通知範囲をプラス方向にシフトさせた値（上記例では、３ｄＢシフトさせた値）を、Ａｐｅｒｉｏｄｉｃ−ＳＲＳのオフセット値PSRS_OFFSETの通知範囲とする。これにより、この通知方法では、シグナリングビット数を増加させることなく、ＳＲＳ種別に応じて必要な送信電力を設定できる。
【０１１４】
このように、本実施の形態では、端末５００は、端末５００で今回送信されるＳＲＳ種別に応じて、ＳＲＳの送信電力オフセット値を設定する。これにより、端末５００は、Ａｐｅｒｉｏｄｉｃ−ＳＲＳ及びＰｅｒｉｏｄｉｃ−ＳＲＳのそれぞれに必要な送信電力を設定できる。また、本実施の形態によれば、端末５００では、Ｐｅｒｉｏｄｉｃ−ＳＲＳの送信電力をＡｐｅｒｉｏｄｉｃ−ＳＲＳに合わせて増加させる必要がないので、Ｐｅｒｉｏｄｉｃ−ＳＲＳを必要最低限の電力で送信できる。よって、Ｐｅｒｉｏｄｉｃ−ＳＲＳの送信電力が過剰になることを防止できるので、端末の電力消費を低減できる。よって、本実施の形態によれば、基地局２００におけるＴＰＣ誤差によるＳＩＮＲ測定精度の劣化を防止しつつ、端末５００の消費電力の増加を抑えることができる。更に、本実施の形態によれば、Ａｐｅｒｉｏｄｉｃ−ＳＲＳ送信の度にPSRS_OFFSETを更新する必要がないのでシステムのオーバーヘッドの増加を防止できる。
【０１１５】
また、本実施の形態では、ＳＲＳ種別としてＡｐｅｒｉｏｄｉｃ−ＳＲＳ及びＰｅｒｉｏｄｉｃ−ＳＲＳの２種類を用いる場合を一例として説明したが、これに限らず、ＳＲＳ種別を更に細かく定義してもよい。例えば、ＬＴＥ−Ａｄｖａｎｃｅｄでは、Ａｐｅｒｉｏｄｉｃ−ＳＲＳとして、基地局からのトリガー信号を受信してから１回のみ送信する「１ ｓｈｏｔ  ＳＲＳ」、及び、基地局からのトリガー信号を受信してから所定の複数回数だけ送信する「Ｍｕｌｔｉ−ｓｈｏｔ  ＳＲＳ」が検討されている。基地局からのトリガー信号としては、例えばＰＤＣＣＨ（Physical Downlink. Control CHannel）と呼ばれる下りの制御チャネルを用いた、少なくとも１ビットの情報を含む信号である。基地局は、この情報を用いて端末へＡｐｒｉｏｄｉｃ−ＳＲＳの送信を指示する。端末は、基地局からのトリガー信号を検出した後、所定のＳＲＳ送信時間でＳＲＳを、１回あるいは所定の複数回数だけ送信する。更に、Ｍｕｌｔｉ−ｓｈｏｔ  ＳＲＳの中には、チャネル品質測定の向上を目的として同一周波数帯域で送信されるＳＲＳと、広帯域のチャネル品質測定を目的として異なる周波数帯域で送信されるＳＲＳとがある。これらのＡｐｅｒｉｏｄｉｃ−ＳＲＳを異なるＳＲＳ種別と定義して、端末はＳＲＳ種別に応じたオフセット値PSRS_OFFSETを設定してもよい。
【０１１６】
例えば、図１０に示すように、端末（オフセット値決定部５０３）は、１  ｓｈｏｔ  ＳＲＳが送信される場合、オフセット値PSRS_OFFSETを３ｄＢに設定し、Ｍｕｌｔｉ−ｓｈｏｔ  ＳＲＳが同一周波数帯域で送信される場合、オフセット値PSRS_OFFSETを１．５ｄＢに設定し、Ｍｕｌｔｉ−ｓｈｏｔ  ＳＲＳが異なる周波数帯域で送信される場合、オフセット値PSRS_OFFSETを３ｄＢに設定する。つまり、図１０に示すように、端末は、１  ｓｈｏｔ  ＳＲＳが送信される場合には、Ｍｕｌｔｉ−ｓｈｏｔ  ＳＲＳが同一周波数帯域で送信される場合よりも大きいオフセット値PSRS_OFFSETを設定する。これは、同一帯域で送信されるＭｕｌｔｉ−ｓｈｏｔ  ＳＲＳの場合には基地局側で複数のＳＲＳを平均化することで、チャネル測定品質が向上できるのに対して、１  ｓｈｏｔ  ＳＲＳの場合には基地局側で平均化による品質向上ができないため、より大きな送信電力が必要となるからである。また、端末は、Ｍｕｌｔｉ−ｓｈｏｔ  ＳＲＳが異なる周波数帯域で送信される場合と、１  ｓｈｏｔ  ＳＲＳが送信される場合とで同じオフセット値PSRS_OFFSETを設定する。これは、異なる周波数帯域で送信されたＭｕｌｔｉ−ｓｈｏｔ  ＳＲＳの場合には、１  ｓｈｏｔ  ＳＲＳと同様、基地局側で平均化による品質向上ができないため、必要な送信電力が１  ｓｈｏｔ  ＳＲＳと同じになるからである。
【０１１７】
また、サブキャリア間隔が異なるＡｐｅｒｉｏｄｉｃ−ＳＲＳを異なるＳＲＳ種別と定義して、端末はＳＲＳ種別に応じたオフセット値PSRS_OFFSETを設定してもよい。
【０１１８】
例えば、図１１に示すように、端末（オフセット値決定部５０３）は、サブキャリア間隔が１５ｋＨｚのＡｐｅｒｉｏｄｉｃ−ＳＲＳを送信する場合、オフセット値PSRS_OFFSETを１．５ｄＢに設定し、サブキャリア間隔が３０ｋＨｚのＡｐｅｒｉｏｄｉｃ−ＳＲＳを送信する場合、オフセット値PSRS_OFFSETを３．０ｄＢに設定する。つまり、端末は、サブキャリア間隔が大きいＡｐｅｒｉｏｄｉｃ−ＳＲＳほど、より大きいオフセット値PSRS_OFFSETを設定する。これは、サブキャリア間隔が大きいほど、単位周波数帯域当たりのチャネル品質測定に用いる平均サブキャリア数が少なくなり、基地局側でのチャネル品質測定の精度が悪くなる（ばらつきが大きくなる）からである。よって、サブキャリア間隔が大きいＡｐｅｒｉｏｄｉｃ−ＳＲＳほど、より大きな送信電力が必要になる。
【０１１９】
以上、本発明の各実施の形態について説明した。
【０１２０】
なお、本発明において、実施の形態１と実施の形態２とを組み合わせてもよい。具体的には、端末のオフセット設定部は、図１２に示すように、経過時間算出部、電力変化量算出部及びオフセット値決定部で構成される。つまり、図１２に示すオフセット値決定部は、実施の形態１で説明した経過時間Ｔ、及び、実施の形態２で説明した電力変化量ΔＰの双方に応じて、式（２）に示すオフセット値PSRS_OFFSETの補正値Δoffsetを設定する。具体的には、図１３に示すように、補正値Δoffsetは、経過時間Ｔと電力変化量ΔＰとに対応付けられている。なお、図１３に示す補正値Δoffsetは、図１４Ａ及び図１４Ｂに示す、ＬＴＥで規定された、ＴＰＣ誤差の許容範囲（例えば、3GPP TS36.101 v8.9.0 (Table 6.3.5.2.1-1)を参照）に基づいて、経過時間Ｔと電力変化量ΔＰとに対応付けられている。ここで、図１４Ａは、経過時間Ｔが２０ｍｓより長い場合（Ｔ＞２０ｍｓ）のＴＰＣ誤差の許容範囲（±９．０ｄＢ）の規定を示す。また、図１４Ｂは、経過時間Ｔが２０ｍｓ以下の場合（Ｔ≦２０ｍｓ）のＴＰＣ誤差の許容範囲の規定を示す。図１４Ｂでは、電力変化量ΔＰが大きいほど、ＴＰＣ誤差の許容範囲が大きくなっている。
【０１２１】
なお、図１３では、図１４Ａ及び図１４Ｂに基づいて、経過時間Ｔ＞２０ｍｓの場合と、経過時間Ｔ≦２０ｍｓかつΔＰが１５ｄＢ以上の場合とで、同一の補正値Δoffset（０ｄＢ）が設定されている。つまり、経過時間Ｔが異なる場合でも同一の補正値Δoffsetが設定されている。しかし、本発明では、図１３の代わりに、図１５に示すように、経過時間Ｔが長いほど、補正値Δoffsetをより大きくなるように設定してもよい。つまり、図１５では、経過時間Ｔが異なる場合、及び、電力変化量ΔＰが異なる場合には、互いに異なる補正量Δoffsetが設定されている。また、図１３では、経過時間Ｔが長い場合（Ｔ＞２０ｍｓの場合）、電力変化量ΔＰによらず一定の補正値Δoffsetが設定されているが、図１５に示すように、経過時間Ｔが長い場合（Ｔ＞２０ｍｓの場合）でも、電力変化量ΔＰに応じて異なる補正値Δoffsetを設定してもよい。
【０１２２】
図１３及び図１５に示す対応付けを用いることにより、端末は、経過時間Ｔ及び電力変化量ΔＰの双方を考慮して、ＳＲＳの送信電力を制御することができる。つまり、端末は、基地局におけるＴＰＣ誤差によるＳＩＮＲ測定精度の劣化を防止しつつ、ＳＲＳの送信電力をより精度良く制御することができ、無駄な消費電力を、上記実施の形態よりもさらに削減することができる。
【０１２３】
また、上記実施の形態では、端末が１本のアンテナを具備する場合について説明したが、端末が複数のアンテナを具備する場合にも本発明を適用することができる。例えば、図１６に示すように、Ｎ本のアンテナ１１３−１〜１１３−Ｎを有する端末４００は、各アンテナに対応する送信処理部４０１−１〜４０１−Ｎを具備する。ここで、各送信処理部４０１は、例えば、図２に示すＲＳ生成部１０１〜ＣＰ付加部１０５で構成される。また、図１６に示すオフセット設定部４０２−１〜４０２−Ｎは、オフセット設定部１０６（図２）と同一の構成でもよく、オフセット設定部３０１（図６）と同一の構成でもよく、オフセット設定部５０１（図８）と同一の構成でもよく、オフセット設定部（図１２）と同一の構成でもよい。図１６に示す端末４００の各送信処理部４０１のオフセット設定部４０２は、各アンテナそれぞれにおける送信時間間隔（上述した経過時間Ｔ又はＳＲＳ周期ＴＳＲＳ）又は送信電力の変化量（上述した電力変化量ΔＰ）に応じて、各アンテナからそれぞれ送信される各ＳＲＳに対するオフセット値PSRS_OFFSETの補正値Δoffset（又は、オフセット値PSRS_OFFSET）を設定する。そして、端末４００の各送信部１０９内の送信電力制御部１１１は、各アンテナからそれぞれ送信される各ＳＲＳに対応する補正値Δoffsetをオフセット値PSRS_OFFSETに加えることにより（又は、設定されたオフセット値PSRS_OFFSETを用いて）、複数のアンテナからそれぞれ送信される複数のＳＲＳの送信電力を制御する。このように、端末４００は、複数のアンテナからそれぞれ送信されるＳＲＳの送信電力制御に用いる補正値Δoffset（又は、オフセット値PSRS_OFFSET等）の設定を個別に行う。すなわち、端末４００は、複数のアンテナそれぞれにおけるＳＲＳの送信時間間隔（ＳＲＳの送信周期等）に応じて、複数のアンテナからそれぞれ送信される複数のＳＲＳに対するオフセット値を設定し、複数のＳＲＳに対応するオフセット値を用いて、複数のアンテナからそれぞれ送信される複数のＳＲＳの送信電力を制御する。これにより、端末４００は、例えば、複数のアンテナに対して基地局から通知される共通のパラメータ（例えば、オフセット値PSRS_OFFSET等）を用いて、アンテナ毎に異なる送信電力を設定することができる。これにより、端末４００では、ＳＲＳの送信電力をアンテナ毎に適切に制御することができるので、従来技術のようにＳＲＳの送信電力を全てのアンテナで共通で行う場合と比較して、ＳＲＳの送信電力をより低く抑えることができる。
【０１２４】
また、本発明において、端末が複数のアンテナを具備する場合、図１６で説明したように、各アンテナそれぞれから送信される複数のＳＲＳに対するオフセット値PSRS_OFFSETの補正値Δoffsetの比（又は、オフセット値PSRS_OFFSETの比）を、複数のアンテナからそれぞれ送信される複数のＳＲＳ全体に割り当てられる総送信電力に対する、各ＳＲＳにそれぞれ割り当てられる送信電力の比として用いて、複数のＳＲＳの送信電力を制御してもよい。具体的には、上記実施の形態では、各アンテナから送信されるＳＲＳの送信電力を式（１）又は式（２）に示すPSRS(i)としたのに対して、ここでは、端末は、複数のアンテナから同時に送信される複数のＳＲＳの総送信電力を式（１）又は式（２）に示すPSRS(i)とする。つまり、複数のＳＲＳの総送信電力PSRS(i)は、ＰＵＳＣＨの送信電力にオフセット値PSRS_OFFSETを加えて算出される。そして、端末は、上記実施の形態と同様にして、各アンテナにおける送信時間間隔（経過時間Ｔ（例えば図４）又は電力変化量ΔＰ（例えば、図７））又は送信電力の変化量（電力変化量ΔＰ（例えば、図７））に応じて、オフセット値PSRS_OFFSETの補正値Δoffsetを設定する（又は、各アンテナにおけるＳＲＳの送信周期（ＳＲＳ種別（例えば図９〜１１）に応じて、オフセット値PSRS_OFFSETを設定する）。そして、端末は、総送信電力PSRS(i)に対する、各アンテナから送信される複数のＳＲＳにそれぞれ割り当てられる送信電力の比である、各アンテナから送信される複数のＳＲＳにそれぞれ対応する補正値Δoffsetの比（又は、オフセット値PSRS_OFFSETの比）を用いて、複数のＳＲＳの送信電力を制御する。つまり、補正値Δoffset（又は、オフセット値PSRS_OFFSET）が小さいＳＲＳが送信されるアンテナほど、総送信電力PSRS(i)における送信電力の比がより小さくなり、より小さい送信電力が割り当てられる。つまり、補正値Δoffsetが小さい（ＴＰＣ誤差が小さい）ＳＲＳが送信されるアンテナほど、基地局でのＳＩＮＲ測定精度の劣化を防止しつつ、端末でのＳＲＳの送信電力をより低くすることが可能となる。このようにして、端末が、経過時間Ｔ又は電力変化量ΔＰに応じて設定した補正値Δoffset（又は、ＳＲＳの送信周期（ＳＲＳ種別に応じて設定したオフセット値PSRS_OFFSET）を、各アンテナからそれぞれ送信されるＳＲＳの送信電力比として用いる場合でも、上記実施の形態と同様の効果を得ることができる。
【０１２５】
また、上記実施の形態では、式（２）に示すPSRS_OFFSETが、想定される最大ＴＰＣ誤差を基準に設定される場合（例えば、図４及び図７）について説明した。しかし、本発明では、式（２）に示すPSRS_OFFSETは、想定される最小ＴＰＣ誤差を基準に設定されてもよい。この場合、図１７に示すように、経過時間Ｔが長いほど（Ｔ＞２０ｍｓ）、補正値Δoffsetを大きくなり、図１８に示すように、電力変化量ΔＰが大きいほど、補正値Δoffsetを大きくなるように、補正値Δoffsetを設定すればよい。
【０１２６】
また、上記実施の形態ではアンテナとして説明したが、本発明はアンテナポート（antenna port）でも同様に適用できる。
【０１２７】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１２８】
例えば、ＬＴＥにおいては、アンテナポートが何本の物理アンテナから構成されるかは規定されず、基地局が異なる参照信号（Reference signal）を送信できる最小単位として規定されている。
【０１２９】
また、アンテナポートはプリコーディングベクトル（Precoding vector）の重み付けを乗算する最小単位として規定されることもある。
【０１３０】
なお、上記実施の形態では、本発明をハードウェアで構成する場合を例にとって説明したが、本発明はハードウェアとの連携においてソフトウェアでも実現することも可能である。
【０１３１】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１３３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３４】
２０１０年４月３０日出願の特願２０１０−１０５３２３および２０１０年１１月５日出願の特願２０１０−２４９１２８の日本出願に含まれる明細書、図面および要約書の開示内容は、すべて本願に援用される。
【産業上の利用可能性】
【０１３５】
本発明は、移動体通信システム等に適用することができる。
【符号の説明】
【０１３６】
１００，３００，４００，５００  端末
２００  基地局
１０１  ＲＳ生成部
１０２  位相回転部
１０３  マッピング部
１０４  ＩＦＦＴ部
１０５  ＣＰ付加部
１０６，２０８，３０１，４０２，５０１  オフセット設定部
１０７  経過時間算出部
１０８，３０３，５０３  オフセット値決定部
１０９  送信部
１１０  Ｄ／Ａ部
１１１  送信電力制御部
１１２  アップコンバート部
１１３，２０１  アンテナ
２０２  受信部
２０３  ＣＰ除去部
２０４  ＦＦＴ部
２０５  デマッピング部
２０６  巡回シフト量設定部
２０７  ＳＲＳ用ＳＩＮＲ測定部
２０９  データ用ＳＩＮＲ導出部
２１０  チャネル品質導出部
３０２  電力変化量算出部
４０１  送信処理部
５０２  ＳＲＳ種別設定部
【図１】
0005954720.tif 000006
【図２】
0005954720.tif 000007
【図３】
0005954720.tif 000008
【図４】
0005954720.tif 000009
【図５】
0005954720.tif 000010
【図６】
0005954720.tif 000011
【図７】
0005954720.tif 000012
【図８】
0005954720.tif 000013
【図９】
0005954720.tif 000014
【図１０】
0005954720.tif 000015
【図１１】
0005954720.tif 000016
【図１２】
0005954720.tif 000017
【図１３】
0005954720.tif 000018
【図１４Ａ】
0005954720.tif 000019
【図１４Ｂ】
0005954720.tif 000020
【図１５】
0005954720.tif 000021
【図１６】
0005954720.tif 000022
【図１７】
0005954720.tif 000023
【図１８】
0005954720.tif 000024